(57)【要約】【課題】内挿補間による同期検波の効果をより高めることが可能な位相ずれ演算回路を提供する。【解決手段】０次内挿演算器２は注目しているスロット前後いくつかのスロットのフェージングベクトルを求め、その平均を位相のずれを算出する。１次内挿演算器３は注目しているスロット並びにその前後のスロットから直線内挿補間による線形近似によってフェージングベクトルの変化（傾き）を求め、位相ずれを算出する。補正演算器１は０次内挿演算器２による０次内挿補間で算出された補正ベクトルと、１次内挿演算器３による１次内挿補間で算出された補正ベクトルとを掛け合わせたものを補正ベクトルとして出力する。【選択図】      図１
2004159023.tif 000002
【特許請求の範囲】
【請求項１】
受信信号の位相ずれを検出する位相ずれ演算回路であって、時間平均による０次内挿補間を行う０次内挿演算器と、着目している検波スロットに対して前後のスロットからの変化を基に計算する１次内挿補間を行う１次内挿演算器と、前記０次内挿演算器による０次内挿補間で算出された補正ベクトルと、前記１次内挿演算器による１次内挿補間で算出された補正ベクトルとを掛け合わせて前記位相ずれを算出する演算補正器とを有することを特徴とする位相ずれ演算回路。
【請求項２】
前記０次内挿演算器は、注目しているスロット前後のスロットのフェージングベクトルを求めてその平均で前記位相のずれを算出することを特徴とする請求項１記載の位相ずれ演算回路。
【請求項３】
前記１次内挿演算器は、前記注目しているスロット並びにその前後のスロットから直線内挿補間による線形近似によってフェージングベクトルの変化を求めて前記位相ずれを算出することを特徴とする請求項２記載の位相ずれ演算回路。
【請求項４】
受信信号の位相ずれを検出する位相ずれ演算回路を用いるチャネル推定方法であって、時間平均による０次内挿補間で算出された補正ベクトルと、着目している検波スロットに対して前後のスロットからの変化を基に計算する１次内挿補間で算出された補正ベクトルとを掛け合わせて前記位相ずれを算出し、算出された補正ベクトルを利用して前記受信信号の検波を行うことを特徴とするチャネル推定方法。
【請求項５】
前記０次内挿補間は、注目しているスロット前後のスロットのフェージングベクトルを求めてその平均で前記位相のずれを算出することを特徴とする請求項４記載のチャネル推定方法。
【請求項６】
前記１次内挿補間は、前記注目しているスロット並びにその前後のスロットから直線内挿補間による線形近似によってフェージングベクトルの変化を求めて前記位相ずれを算出することを特徴とする請求項５記載のチャネル推定方法。
【発明の詳細な説明】
【０００１】
【発明の属する技術分野】
本発明は位相ずれ演算回路及びそれを用いるチャネル推定方法に関し、特にＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ：広帯域符号分割多元接続）で用いられるチャネル推定方法に関する。
【０００２】
【従来の技術】
Ｗ−ＣＤＭＡでは、信号を受信した際にパイロット信号を検波することによって信号の検知並びに受信した信号のレベル測定を行っている。この到来してきた信号の位相がずれると、図３に示すように、信号が劣化し、正しいキャリア信号を掛け合わせて復調しても信号が劣化してしまう。
【０００３】
そのため、Ｗ−ＣＤＭＡに用いられるチャネル推定方法では既知の信号であるパイロット信号から到来してきた信号の位相のずれを推定し、図４に示すように、復調時にそのずれた位相を補正することによって正しく復調を行うことが可能になる。
【０００４】
チャネル推定方法ではチャネル推定にパイロット信号を利用するが、パイロット信号は受信信号の一部であり、パイロット信号の位相ずれを計算しただけでは実際の位相ずれと若干異なる場合がある。
【０００５】
そこで、チャネル推定方法ではある一定時間内に受信した複数スロットのパイロット信号を用いて、その平均からより正確な位相ずれを計算する。但し、位相のずれは一定ではなく、時間とともにランダムに変動するので、単純な平均ではパイロット信号から推定された位相ずれと実際の位相ずれとに差が生じる場合がある。
【０００６】
この場合には現時点での時間的に重み付けを行い、そこから位相ずれの平均を計算する内挿補間と呼ばれる方法によってチャネル推定を行う方法がある。０次内挿補間は、図５に示すように、注目しているスロット前後いくつかのスロットのフェージングベクトルを求め、その平均で位相のずれを算出する方法である。
【０００７】
１次内挿補間は、図６に示すように、注目しているスロット並びにその前後のスロットから直線内挿補間による線形近似によってフェージングベクトルの変化（傾き）を求め、位相ずれを算出する方法である（例えば、特許文献１参照）。
【０００８】
【特許文献１】
特開２００１−１８９７６８号公報（第５〜７頁、図１，２）
【０００９】
【発明が解決しようとする課題】
上記の０次内挿補間は時間平均による方法であり、重み付けによって、着目している検波スロットへの相関を高めることができるが、速いフェージングによって位相が大きく変動してしまうような場合には効果が薄くなってしまう。
【００１０】
また、１次内挿補間は着目している検波スロットに対して前後のスロットからの変化を基に計算しているので、フェージングに対して効果があるが、相関性のないノイズによって誤差が生じやすくなってしまう。
【００１１】
そこで、本発明の目的は上記の問題点を解消し、内挿補間による同期検波の効果をより高めることができる位相ずれ演算回路及びそれを用いるチャネル推定方法を提供することにある。
【００１２】
【課題を解決するための手段】
本発明による位相ずれ演算回路は、受信信号の位相ずれを検出する位相ずれ演算回路であって、時間平均による０次内挿補間を行う０次内挿演算器と、着目している検波スロットに対して前後のスロットからの変化を基に計算する１次内挿補間を行う１次内挿演算器と、前記０次内挿演算器による０次内挿補間で算出された補正ベクトルと、前記１次内挿演算器による１次内挿補間で算出された補正ベクトルとを掛け合わせて前記位相ずれを算出する演算補正器とを備えている。
【００１３】
本発明によるチャネル推定方法は、受信信号の位相ずれを検出する位相ずれ演算回路を用いるチャネル推定方法であって、時間平均による０次内挿補間で算出された補正ベクトルと、着目している検波スロットに対して前後のスロットからの変化を基に計算する１次内挿補間で算出された補正ベクトルとを掛け合わせて前記位相ずれを算出し、算出された補正ベクトルを利用して前記受信信号の検波を行っている。
【００１４】
すなわち、本発明のチャネル推定方法は、ノイズに強い０次内挿補間同期検波とフェージングに強い１次内挿補間同期検波とを組合わせることによって、より正確な位相ずれを算出している。
【００１５】
具体的に説明すると、本発明のチャネル推定方法では、０次内挿補間によって算出された補正ベクトルと、１次内挿補間によって算出された補正ベクトルとを掛け合わせたものを補正ベクトルとして利用している。
【００１６】
本発明のチャネル推定方法では、受信した信号に対して、０次内挿補間及び１次内挿補間を行い、演算補正では０次内挿補間によって算出されたフェージングベクトルと、１次内挿補間によって算出されたフェージングベクトルとを掛け合わせる。
【００１７】
本発明のチャネル推定方法では、上述した方法によって算出されたフェージングベクトルを利用して受信信号の検波を行うので、内挿補間による同期検波の効果をより高めることが可能となる。
【００１８】
【発明の実施の形態】
次に、本発明の実施の形態について図面を参照して説明する。図１は本発明の実施の形態による位相ずれ演算器の構成を示すブロック図である。図１において、本発明の実施の形態による位相ずれ演算器は補正演算器１と、０次内挿演算器２と、１次内挿演算器３と、バッファ４とから構成されている。
【００１９】
０次内挿演算器２は注目しているスロット前後いくつかのスロットのフェージングベクトルを求め、その平均を位相のずれを算出する（図５参照）。すなわち、０次内挿演算器２による０次内挿補間は時間平均による方法であり、重み付けによって、着目している検波スロットへの相関を高めることができるが、速いフェージングによって位相が大きく変動してしまうような場合には効果が薄くなってしまう。
【００２０】
また、１次内挿演算器３は注目しているスロット並びにその前後のスロットから直線内挿補間による線形近似によってフェージングベクトルの変化（傾き）を求め、位相ずれを算出する（図６参照）。すなわち、１次内挿演算器３による１次内挿補間は着目している検波スロットに対して前後のスロットからの変化を基に計算しているので、フェージングに対して効果があるが、相関性のないノイズによって誤差が生じやすくなってしまう。
【００２１】
そこで、補正演算器１はノイズに強い０次内挿演算器２による０次内挿補間同期検波と、フェージングに強い１次内挿演算器３による１次内挿補間同期検波とを組合わせることによって、より正確な位相ずれを算出する。
【００２２】
つまり、補正演算器１は０次内挿演算器２による０次内挿補間で算出された補正ベクトルと、１次内挿演算器３による１次内挿補間で算出された補正ベクトルとを掛け合わせたものを補正ベクトルとして出力する。
【００２３】
本発明の実施の形態による位相ずれ演算器は受信した信号に対して、０次内挿演算器２による０次内挿補間及び１次内挿演算器３による１次内挿補間を行う。補正演算器１による演算補正では０次内挿補間によって算出されたフェージングベクトルと、１次内挿補間によって算出されたフェージングベクトルとを掛け合わせる。本実施例では上述した方法によって算出されたフェージングベクトルを利用して受信信号の検波を行う。
【００２４】
図２は本発明の一実施例によるＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ：広帯域符号分割多元接続）基地局（あるいは無線端末）の構成を示すブロック図である。図２において、Ｗ−ＣＤＭＡ基地局（無線端末）１０はアンテナ１１と、無線受信部１２と、位相ずれ演算器１３と、位相補正器１４と、サーチャ回路１５と、ＲＡＫＥ合成回路１６と、信号復号回路１７とから構成されている。
【００２５】
無線受信部１２はアンテナ１１を介して受信した信号の周波数変換及びＡ／Ｄ（アナログ／ディジタル）変換を行い、それらの変換を行った信号を位相ずれ演算器１３及び位相補正器１４に渡される。
【００２６】
位相ずれ演算器１３は上記の図１に示す位相ずれ演算器と同様の構成となっており、０次内挿補間によって算出されたフェージングベクトルと、１次内挿補間によって算出されたフェージングベクトルとを掛け合わせた補正ベクトルを位相補正器１４に出力する。
【００２７】
位相補正器１４は無線受信部１２から渡された周波数変換及びＡ／Ｄ変換後の信号に対して、位相ずれ演算器１３からの補正ベクトルによって位相補正を行い、位相補正後の信号をサーチャ回路１５とＲＡＫＥ合成回路１６とに渡す。
【００２８】
サーチャ回路１５及びＲＡＫＥ合成回路１６では位相ずれを考慮してパス検出ないし検波を行い、その結果を信号復号回路１７に渡す。信号復号回路１７はサーチャ回路１５及びＲＡＫＥ合成回路１６の結果を基に、アンテナ１１を介して受信した信号の復号を行う。
【００２９】
これによって、本実施例では、ノイズに強い０次内挿補間同期検波とフェージングに強い１次内挿補間同期検波とを組合わせることによって、より正確な位相ずれを算出することができる。
【００３０】
すなわち、本実施例ではノイズに強い０次内挿補間によって算出された補正ベクトルと、フェージングに強い１次内挿補間によって算出された補正ベクトルとを掛け合わせたものを補正ベクトルとして利用しているので、内挿補間による同期検波の効果をより高めることができる。
【００３１】
【発明の効果】
以上説明したように本発明は、受信信号の位相ずれを検出する位相ずれ演算回路を用いるチャネル推定方法において、時間平均による０次内挿補間で算出された補正ベクトルと、着目している検波スロットに対して前後のスロットからの変化を基に計算する１次内挿補間で算出された補正ベクトルとを掛け合わせて位相ずれを算出し、算出された補正ベクトルを利用して受信信号の検波を行うことによって、内挿補間による同期検波の効果をより高めることができるという効果が得られる。
【図面の簡単な説明】
【図１】本発明の実施の形態による位相ずれ演算器の構成を示すブロック図である。
【図２】本発明の一実施例によるＷ−ＣＤＭＡ基地局（無線端末）の構成を示すブロック図である。
【図３】位相がずれたことによる信号劣化を示す図である。
【図４】復調時にそのずれた位相を補正する方法を示す図である。
【図５】位相ずれの平均を計算する０次内挿補間方法を示す図である。
【図６】フェージングベクトルの変化を求めて位相ずれを算出する１次内挿補間方法を示す図である。
【符号の説明】
１  補正演算器
２  ０次内挿演算器
３  １次内挿演算器
４  バッファ
１０  Ｗ−ＣＤＭＡ基地局（無線端末）
１１  アンテナ
１２  無線受信部
１３  位相ずれ演算器
１４  位相補正器
１５  サーチャ回路
１６  ＲＡＫＥ合成回路
１７  信号復号回路
【図１】
2004159023.tif 000003
【図２】
2004159023.tif 000004
【図３】
2004159023.tif 000005
【図４】
2004159023.tif 000006
【図５】
2004159023.tif 000007
【図６】
2004159023.tif 000008